【事件の表示】
　国際登録第１３２４９３８号に係る国際商標登録出願の拒絶査定に対する審判事件について，次のとおり審決する。
【結論】
　原査定を取り消す。
　本願商標は，登録すべきものとする。
【理由】
１　本願商標
　本願商標は，別掲のとおりの構成よりなり，第１８類，第２５類及び第３５類に属する日本国を指定する国際登録において指定された商品及び役務を指定商品及び指定役務として，２０１６年（平成２８年）５月２０日に国際商標登録出願されたものである。
　そして，その指定商品及び指定役務については，原審における２０１７年（平成２９年）６月２３日及び当審における２０１８年（平成３０年）１０月４日付けで国際登録簿に記録された限定の通報があった結果，最終的に，第１８類「Ｌｅａｔｈｅｒ　ａｎｄ　ｉｍｉｔａｔｉｏｎｓ　ｏｆ　ｌｅａｔｈｅｒ；ａｎｉｍａｌ　ｓｋｉｎｓ，ｈｉｄｅｓ；ｔｒｕｎｋｓ　ａｎｄ　ｔｒａｖｅｌｌｉｎｇ　ｂａｇｓ；ｂａｇｓ　ｏｆ　ｌｅａｔｈｅｒ，ｅｃｏ−ｌｅａｔｈｅｒ，ｉｍｉｔａｔｉｏｎ　ｌｅａｔｈｅｒ，ｐｌａｓｔｉｃ　ｏｒ　ｔｅｘｔｉｌｅ，ｉｎｃｌｕｄｉｎｇ　ｂａｇｓ，ｈａｎｄｂａｇｓ，ｓｈｏｕｌｄｅｒ　ｂａｇｓ，ｏｖｅｒｎｉｇｈｔ　ｂａｇｓ，ｋｅｙ　ｃａｓｅｓ，ｃｈａｉｎ　ｍａｉｌ　ｐｕｒｓｅｓ，ｎｏｔ　ｏｆ　ｐｒｅｃｉｏｕｓ　ｍｅｔａｌ，ｈｏｌｄａｌｌｓ，ｇｅｎｔｌｅｍｅｎ’ｓ　ｈａｎｄｂａｇｓ，ｍａｋｅ−ｕｐ　ｂａｇｓ，ｔｒａｖｅｌｌｉｎｇ　ｂａｇｓ，ｓｈｏｐｐｉｎｇ　ｂａｇｓ，ｗｈｅｅｌｅｄ　ｓｈｏｐｐｉｎｇ　ｂａｇｓ，ｔｒａｖｅｌｌｉｎｇ　ｓｅｔｓ（ｌｅａｔｈｅｒｗａｒｅ），ｖａｎｉｔｙ　ｃａｓｅｓ（ｎｏｔ　ｆｉｔｔｅｄ）；ｂａｇｓ　ｆｏｒ　ｆｏｏｔｗｅａｒ　ａｎｄ　ｍｕｌｔｉ−ｐｕｒｐｏｓｅ　ｓｐｏｒｔｓ　ｂａｇｓ，ｗａｉｓｔｐａｃｋｓ，ｒｕｃｋｓａｃｋｓ，ｖａｎｉｔｙ　ｃａｓｅｓ，ａｌｌ　ｏｆ　ｌｅａｔｈｅｒ，ｉｍｉｔａｔｉｏｎ　ｌｅａｔｈｅｒ　ａｎｄ／ｏｒ　ｔｅｘｔｉｌｅ；ｇａｒｍｅｎｔ　ｂａｇｓ　ｆｏｒ　ｔｒａｖｅｌ　ｏｆ　ｌｅａｔｈｅｒ　ａｎｄ　ｅｃｏ−ｌｅａｔｈｅｒ，ｋｅｙ　ｃａｓｅｓ，ｋｅｙ　ｃａｓｅｓ　ｏｆ　ｌｅａｔｈｅｒ；ｐｕｒｓｅｓ，ｄｏｃｕｍｅｎｔ　ｃａｓｅｓ，ｐｏｃｋｅｔ　ｗａｌｌｅｔｓ，ｃａｒｄ　ｃａｓｅｓ（ｎｏｔｅｃａｓｅｓ），ｂｕｓｉｎｅｓｓ　ｃａｒｄ　ｈｏｌｄｅｒｓ，ａｌｌ　ｂｅｉｎｇ　ｏｆ　ｌｅａｔｈｅｒ，ｉｍｉｔａｔｉｏｎ　ｌｅａｔｈｅｒ，ｅｃｏ−ｌｅａｔｈｅｒ　ａｎｄ／ｏｒ　ｔｅｘｔｉｌｅ；ｈａｔ　ｂｏｘｅｓ　ｏｆ　ｌｅａｔｈｅｒ，ｃａｓｅｓ　ｏｆ　ｌｅａｔｈｅｒ　ｏｒ　ｌｅａｔｈｅｒｂｏａｒｄ；ｌｅａｔｈｅｒ　ｌｉｎｉｎｇ　ｆｏｒ　ｂｏｏｔｓ　ａｎｄ　ｓｈｏｅｓ（ｕｎｗｏｒｋｅｄ　ｏｒ　ｓｅｍｉ−ｗｏｒｋｅｄ）；ｕｍｂｒｅｌｌａｓ，ｂｉｇ　ｕｍｂｒｅｌｌａｓ　ａｎｄ　ｗａｌｋｉｎｇ　ｓｔｉｃｋｓ；ｗｈｉｐｓ，ｈａｒｎｅｓｓ　ａｎｄ　ｓａｄｄｌｅｒｙ．」，第２５類「Ｃｌｏｔｈｉｎｇ　ｆｏｒ　ｍｅｎ，ｗｏｍｅｎ　ａｎｄ　ｃｈｉｌｄｒｅｎ　ｏｆ　ａｎｙ　ｋｉｎｄ　ｏｆ　ｔｅｘｔｉｌｅ　ｏｒ　ｍａｔｅｒｉａｌ，ｉｎｃｌｕｄｉｎｇ　ｓｋｉｒｔｓ，ｔｒｏｕｓｅｒｓ，ｓｈｏｒｔｓ，ｊｅａｎｓ，ｓｈｉｒｔｓ，ｂｌｏｕｓｅｓ，ｊｅｒｓｅｙｓ，ｓｗｅａｔｅｒｓ，ｔｅｅ−ｓｈｉｒｔｓ，ｖｅｓｔｓ，ｓｕｉｔｓ，ｔｒａｃｋｓｕｉｔｓ，ｃｏａｔｓ，ｏｖｅｒｃｏａｔｓ，ｃｏａｔｓ，ｂｏｍｂｅｒ　ｊａｃｋｅｔｓ，ｊａｃｋｅｔｓ，ｗｉｎｄ−ｒｅｓｉｓｔａｎｔ　ｊａｃｋｅｔｓ，ｗａｔｅｒｐｒｏｏｆ　ｃｌｏｔｈｉｎｇ，ｐａｒｋａｓ，ｓｔｏｃｋｉｎｇｓ，ｔｉｇｈｔｓ，ｓｏｃｋｓ，ｔｉｇｈｔｓ，ｓｈａｗｌｓ，ｓａｓｈｅｓ　ｆｏｒ　ｗｅａｒ，ｓｃａｒｖｅｓ，ｇｌｏｖｅｓ，ｔｉｅｓ，ｕｎｄｅｒｗｅａｒ，ｂａｂｙｄｏｌｌｓ　ｂｅｉｎｇ　ｎｉｇｈｔｗｅａｒ，ｎｉｇｈｔｓｈｉｒｔｓ，ｐｙｊａｍａｓ，ｂａｔｈ　ｒｏｂｅｓ　ａｎｄ　ｂａｔｈｉｎｇ　ｃｏｓｔｕｍｅｓ；ｆｏｏｔｗｅａｒ　ｆｏｒ　ｍｅｎ，ｗｏｍｅｎ　ａｎｄ　ｃｈｉｌｄｒｅｎ　ｏｆ　ｔｅｘｔｉｌｅ，ｌｅａｔｈｅｒ，ｉｍｉｔａｔｉｏｎｓ　ｏｆ　ｌｅａｔｈｅｒ　ａｎｄ　ａｎｙ　ｏｔｈｅｒ　ｍａｔｅｒｉａｌ，ｉｎｃｌｕｄｉｎｇ　ｓａｎｄａｌｓ，ｂａｔｈ　ｓａｎｄａｌｓ，ｂａｔｈ　ｓｌｉｐｐｅｒｓ，ｂｏｏｔｓ，ｆｕｎｃｔｉｏｎａｌ　ｂｏｏｔｓ　ａｎｄ　ｂｏｏｔｓ　ｆｏｒ　ｅｖｅｒｙｄａｙ　ｗｅａｒ，ｍｏｃｃａｓｉｎｓ　ａｎｄ　ｓｌｉｐｐｅｒｓ，ｓｌｉｐｐｅｒｓ，ｇｙｍ　ｓｈｏｅｓ，ｂｅａｃｈ　ｓｈｏｅｓ，ｓｐｏｒｔｓ　ｆｏｏｔｗｅａｒ，ｄａｎｃｅ　ｓｈｏｅｓ，ｌｅｉｓｕｒｅ　ｆｏｏｔｗｅａｒ，ｓｏｌｅｓ　ｆｏｒ　ｆｏｏｔｗｅａｒ，ｐａｒｔｓ　ｆｏｒ　ｆｏｏｔｗｅａｒ，ｎｏｔ　ｉｎｃｌｕｄｅｄ　ｉｎ　ｏｔｈｅｒ　ｃｌａｓｓｅｓ，ｃｏｍｐｏｎｅｎｔｓ　ｆｏｒ　ｆｏｏｔｗｅａｒ，ｎｏｔ　ｉｎｃｌｕｄｅｄ　ｉｎ　ｏｔｈｅｒ　ｃｌａｓｓｅｓ；ｈａｔｓ　ａｎｄ　ｂｅｒｅｔｓ，ｃａｐｓ，ｓｕｎ　ｖｉｓｏｒｓ；ｗａｉｓｔ　ｂｅｌｔｓ．」及び第３５類「Ｒｅｔａｉｌｉｎｇ　ａｎｄ　ｗｈｏｌｅｓａｌｉｎｇ　ｓｅｒｖｉｃｅｓ，ｉｎｃｌｕｄｉｎｇ　ｖｉａ　ｔｈｅ　ｉｎｔｅｒｎｅｔ，ｏｆ　ｔｒｕｎｋｓ　ａｎｄ　ｔｒａｖｅｌｌｉｎｇ　ｂａｇｓ，ｂａｇｓ　ｏｆ　ｌｅａｔｈｅｒ，ｈａｎｄｂａｇｓ，ｗａｌｋｉｎｇ　ｂａｇｓ，ｓｈｏｕｌｄｅｒ　ｂａｇｓ，ｏｖｅｒｎｉｇｈｔ　ｂａｇｓ，ｋｅｙ　ｐｕｒｓｅｓ，ｃｈａｉｎ　ｍａｉｌ　ｐｕｒｓｅｓ，ｎｏｔ　ｏｆ　ｐｒｅｃｉｏｕｓ　ｍｅｔａｌ，ｔｏｔｅ　ｂａｇｓ，ｐｏｕｃｈｅｓ，ｍａｋｅ−ｕｐ　ｂａｇｓ，ｔｒａｖｅｌ　ｂａｇｓ，ｓｈｏｐｐｉｎｇ　ｂａｇｓ，ｗｈｅｅｌｅｄ　ｓｈｏｐｐｉｎｇ　ｂａｇｓ，ｔｒａｖｅｌ　ｓｅｔｓ（ｌｅａｔｈｅｒｗａｒｅ），ｔｏｉｌｅｔ　ｃａｓｅｓ，ｓｏｌｄ　ｅｍｐｔｙ，ｂａｇｓ　ｆｏｒ　ｆｏｏｔｗｅａｒ　ａｎｄ　ｍｕｌｔｉ−ｐｕｒｐｏｓｅ　ｂａｇｓ　ｆｏｒ　ｓｐｏｒｔｓ，ｂｅｌｔ　ｂａｇｓ，ｂａｃｋｐａｃｋｓ，ｂｅａｕｔｙ　ｃａｓｅｓ，ａｌｌ　ｏｆ　ｔｈｅ　ａｆｏｒｅｓａｉｄ　ｏｆ　ｌｅａｔｈｅｒ，ｉｍｉｔａｔｉｏｎ　ｌｅａｔｈｅｒ　ａｎｄ／ｏｒ　ｔｅｘｔｉｌｅ，ｇａｒｍｅｎｔ　ｂａｇｓ　ｆｏｒ　ｔｒａｖｅｌ　ｏｆ　ｌｅａｔｈｅｒ　ａｎｄ　ｅｃｏ−ｌｅａｔｈｅｒ，ｋｅｙ　ｃａｓｅｓ，ｃｈａｎｇｅ　ｐｕｒｓｅｓ，ｄｏｃｕｍｅｎｔ　ｈｏｌｄｅｒｓ，ｐｏｃｋｅｔ　ｗａｌｌｅｔｓ，ｃａｒｄ　ｃａｓｅｓ，ｂｕｓｉｎｅｓｓ　ｃａｒｄ　ｈｏｌｄｅｒｓ，ｐｏｃｋｅｔ　ｗａｌｌｅｔｓ，ａｌｌ　ｏｆ　ｔｈｅ　ａｆｏｒｅｓａｉｄ　ｏｆ　ｌｅａｔｈｅｒ，ｉｍｉｔａｔｉｏｎ　ｌｅａｔｈｅｒ，ｅｃｏ−ｌｅａｔｈｅｒ　ａｎｄ／ｏｒ　ｔｅｘｔｉｌｅ，ｌｅａｔｈｅｒ　ｃｏｖｅｒｉｎｇｓ　ｆｏｒ　ｂｏｏｔｓ　ａｎｄ　ｓｈｏｅｓ，ｕｍｂｒｅｌｌａｓ　ａｎｄ　ｐａｒａｓｏｌｓ，ｗａｌｋｉｎｇ　ｓｔｉｃｋｓ；ｒｅｔａｉｌｉｎｇ　ａｎｄ　ｗｈｏｌｅｓａｌｉｎｇ　ｓｅｒｖｉｃｅｓ，ｉｎｃｌｕｄｉｎｇ　ｖｉａ　ｔｈｅ　ｉｎｔｅｒｎｅｔ，ｏｆ　ｃｌｏｔｈｉｎｇ　ｆｏｒ　ｍｅｎ，ｗｏｍｅｎ　ａｎｄ　ｃｈｉｌｄｒｅｎ　ｏｆ　ａｎｙ　ｋｉｎｄ　ｏｆ　ｆａｂｒｉｃ　ｏｒ　ｍａｔｅｒｉａｌ，ｉｎｃｌｕｄｉｎｇ　ｓｋｉｒｔｓ，ｔｒｏｕｓｅｒｓ，ｓｈｏｒｔｓ，ｊｅａｎｓ，ｓｈｉｒｔｓ，ｂｌｏｕｓｅｓ，ｊｅｒｓｅｙｓ，ｓｗｅａｔｅｒｓ，ｔ−ｓｈｉｒｔｓ，ｖｅｓｔｓ，ｃｏｍｂｉｎａｔｉｏｎｓ（ｃｌｏｔｈｉｎｇ），ｔｒａｃｋｓｕｉｔｓ，ｃｌｏａｋｓ，ｃｏａｔｓ，ｔｕｎｉｃｓ，ｔｏｐｃｏａｔｓ，ｂｌｏｕｓｏｎｓ，ｍｉｌｉｔａｒｙ　ｊａｃｋｅｔｓ，ｊａｃｋｅｔｓ，ｗｉｎｄｃｈｅａｔｅｒｓ，ｗａｔｅｒｐｒｏｏｆ　ｃｌｏｔｈｉｎｇ，ｐａｒｋａｓ，ｓｔｏｃｋｉｎｇｓ，ｔｉｇｈｔｓ，ｓｏｃｋｓ，ｂｏｄｙ　ｓｔｏｃｋｉｎｇｓ，ｓｈａｗｌｓ，ｓｃａｒｖｅｓ，ｈｅａｄｓｃａｒｖｅｓ，ｇｌｏｖｅｓ，ｎｅｃｋｔｉｅｓ，ｕｎｄｅｒｗｅａｒ，ｂａｂｙ−ｄｏｌｌ　ｎｉｇｈｔｄｒｅｓｓｅｓ，ｎｉｇｈｔｓｈｉｒｔｓ，ｐｙｊａｍａｓ，ｂａｔｈ　ｒｏｂｅｓ　ａｎｄ　ｂａｔｈｉｎｇ　ｓｕｉｔｓ，ｆｏｏｔｗｅａｒ　ｆｏｒ　ｍｅｎ，ｗｏｍｅｎ　ａｎｄ　ｃｈｉｌｄｒｅｎ　ｏｆ　ｆａｂｒｉｃ，ｌｅａｔｈｅｒ，ｉｍｉｔａｔｉｏｎ　ｌｅａｔｈｅｒ　ｏｒ　ａｎｙ　ｏｔｈｅｒ　ｍａｔｅｒｉａｌ，ｉｎｃｌｕｄｉｎｇ　ｓａｎｄａｌｓ，ｂａｔｈ　ｓａｎｄａｌｓ，ｂａｔｈ　ｓｌｉｐｐｅｒｓ，ｈｅａｖｙ−ｄｕｔｙ　ｂｏｏｔｓ　ａｎｄ　ａｎｋｌｅ　ｂｏｏｔｓ，ｍｏｃｃａｓｉｎｓ　ａｎｄ　ｓｌｉｐ−ｏｎ　ｓｈｏｅｓ，ｓｌｉｐｐｅｒｓ，ｇｙｍｎａｓｔｉｃ　ｓｈｏｅｓ，ｂｅａｃｈ　ｓｈｏｅｓ，ｓｐｏｒｔｓ　ｓｈｏｅｓ，ｄａｎｃｅ　ｓｈｏｅｓ，ｌｅｉｓｕｒｅ　ｆｏｏｔｗｅａｒ，ｏｖｅｒｓｈｏｅｓ，ｓｏｌｅｓ　ｆｏｒ　ｆｏｏｔｗｅａｒ，ｈａｔｓ　ａｎｄ　ｂｅｒｅｔｓ，ｈｅａｄｇｅａｒ　ｆｏｒ　ｗｅａｒ，ｓｕｎ　ｖｉｓｏｒｓ，ｂｅｌｔｓ　ｆｏｒ　ｗｅａｒ；ａｕｃｔｉｏｎｅｅｒｉｎｇ　ｐｒｏｖｉｄｅｄ　ｏｎ　ｔｈｅ　ｉｎｔｅｒｎｅｔ；ｏｆｆｉｃｅ　ｆｕｎｃｔｉｏｎｓ（ｐｒｏｖｉｄｅｄ　ｂｙ　ｏｔｈｅｒｓ）．」となったものである。
２　原査定の拒絶の理由
　原査定は，次の（１）及び（２）のとおり，認定，判断し，本願を拒絶したものである。
　（１）本願商標は，本願において指定している小売等役務（商標法第２条第２項に規定する役務）は，全く業種が異なり，類似の関係にもないものであるため，出願人が出願に係る商標をこれらの指定した小売等役務のいずれにも使用しているか又は近い将来使用をすることについて疑義があるため，商標法第３条第１項柱書の要件を具備しない。
　（２）本願商標は，登録第５４９４８２３号商標（以下「引用商標」という。）と類似の商標であって，その指定役務と類似の役務について使用をするものであるから，商標法第４条第１項第１１号に該当する。
３　当審の判断
　本願の指定役務は，前記１のとおり，当審における限定の結果，商標の使用又は使用の意思があることについての疑義がなくなったものと認められる。したがって，本願商標は，商標法第３条第１項柱書の要件を具備するものとなった。
　また，本願の指定役務は，前記１のとおり，当審における限定の結果，引用商標の指定役務と同一又は類似の役務は全て削除され，その結果，本願の指定商品及び指定役務は，引用商標の指定役務と類似しないものになった。
　以上のとおり，本願を拒絶した原査定の拒絶の理由は，全て解消した。
　その他，本願について拒絶の理由を発見しない。
　よって，結論のとおり審決する。